(57)【要約】【課題】停電時に血液浄化装置本体の周囲に光を照射して医療従事者等による処置を容易に行わせることができる血液浄化装置を提供する。【解決手段】患者の血液を体外循環させつつ浄化する血液浄化装置本体１と、該血液浄化装置本体１に搭載され、電源からの電力供給が遮断した際に電力供給可能なバッテリ５と、電源からの電力供給が遮断した際、血液浄化装置本体１の周囲の明暗状況を判断し得る判断手段８と、該判断手段８により血液浄化装置本体１の周囲が暗い状況であると判断されることを条件として、バッテリ５からの電力により血液浄化装置本体１の周囲に光を照射し得る表示灯２、モニタ画面３及び照明用ランプ４とを具備したものである。【選択図】図２
2008283996.tif 000002
【特許請求の範囲】
【請求項１】
患者の血液を体外循環させつつ浄化する血液浄化装置本体と、
該血液浄化装置本体に搭載され、電源からの電力供給が遮断した際に電力供給可能なバッテリと、
電源からの電力供給が遮断した際、前記血液浄化装置本体の周囲の明暗状況を判断し得る判断手段と、
該判断手段により前記血液浄化装置本体の周囲が暗い状況であると判断されることを条件として、前記バッテリからの電力により前記血液浄化装置本体の周囲に光を照射し得る点灯手段と、
を具備したことを特徴とする血液浄化装置。
【請求項２】
前記判断手段は、電源からの電力供給が遮断した際の時刻に基づき前記血液浄化装置本体の周囲の明暗状況を判断し得ることを特徴とする請求項１記載の血液浄化装置。
【請求項３】
前記判断手段は、前記血液浄化装置本体の周囲における照度を検出する検出手段と電気的に接続され、該検出手段による検出値に基づき前記血液浄化装置本体の周囲の明暗状況を判断し得ることを特徴とする請求項１又は請求項２記載の血液浄化装置。
【請求項４】
前記点灯手段は、前記血液浄化装置本体に設けられた照明用ランプであることを特徴とする請求項１〜３の何れか１つに記載の血液浄化装置。
【請求項５】
前記照明用ランプが脱着自在とされたことを特徴とする請求項４記載の血液浄化装置。
【請求項６】
前記点灯手段は、前記血液浄化装置本体の動作状況を表示する表示灯であることを特徴とする請求項１〜５の何れか１つに記載の血液浄化装置。
【請求項７】
前記点灯手段は、前記血液浄化装置本体の動作状況を表示するモニタ画面であることを特徴とする請求項１〜６の何れか１つに記載の血液浄化装置。
【請求項８】
前記点灯手段により照射される光の明るさを調整し得る調整手段を具備したことを特徴とする請求項１〜７の何れか１つに記載の血液浄化装置。
【発明の詳細な説明】
【技術分野】
【０００１】
本発明は、透析治療等の血液浄化治療を行うための血液浄化装置に関するものである。
【背景技術】
【０００２】
例えば血液透析装置（血液浄化装置）は、ダイアライザ（血液浄化器）が形成された血液回路（動脈側血液回路及び静脈側血液回路）と、ダイアライザに透析液を供給しつつその透析液を回収する治療装置本体とから主に構成されており、血液回路の先端に取り付けられた穿刺針を患者に穿刺して、当該血液回路にて患者の血液を体外循環させつつダイアライザにて血液浄化及び除水等を行っている。
【０００３】
然るに、血液浄化装置として、地震等の災害や送電の不具合等で停電し、電源からの電力供給が遮断した際、血液浄化治療を継続して行わせるべく電力供給可能なバッテリを内蔵したものが提案されている。かかるバッテリは、通常時、商用電源からの電力供給で蓄電されるとともに、停電等で当該電源からの電力供給が遮断されると、血液浄化装置が具備する血液ポンプ等に対して電力供給可能とされている。尚、かかる先行技術は、文献公知発明に係るものでないため、記載すべき先行技術文献情報はない。
【発明の開示】
【発明が解決しようとする課題】
【０００４】
しかしながら、上記従来の血液浄化装置においては、停電により商用電源からの電力供給が遮断されてもバッテリにより血液浄化治療を継続して行わせることができるものの、当該治療が行われている施設の照明が消灯してしまうため、特に夜間においては部屋が真っ暗となってしまい、医療従事者等が片手に懐中電灯を持ちつつ各患者の処置を行わなければならないという問題があった。尚、自家発電のある施設であっても当該自家発電に切り替わるまでの時間真っ暗な状態となり、同様の問題がある。
【０００５】
本発明は、このような事情に鑑みてなされたもので、停電時に血液浄化装置本体の周囲に光を照射して医療従事者等による処置を容易に行わせることができる血液浄化装置を提供することにある。
【課題を解決するための手段】
【０００６】
請求項１記載の発明は、患者の血液を体外循環させつつ浄化する血液浄化装置本体と、該血液浄化装置本体に搭載され、電源からの電力供給が遮断した際に電力供給可能なバッテリと、電源からの電力供給が遮断した際、前記血液浄化装置本体の周囲の明暗状況を判断し得る判断手段と、該判断手段により前記血液浄化装置本体の周囲が暗い状況であると判断されることを条件として、前記バッテリからの電力により前記血液浄化装置本体の周囲に光を照射し得る点灯手段とを具備したことを特徴とする。
【０００７】
請求項２記載の発明は、請求項１記載の血液浄化装置において、前記判断手段は、電源からの電力供給が遮断した際の時刻に基づき前記血液浄化装置本体の周囲の明暗状況を判断し得ることを特徴とする。
【０００８】
請求項３記載の発明は、請求項１又は請求項２記載の血液浄化装置において、前記判断手段は、前記血液浄化装置本体の周囲における照度を検出する検出手段と電気的に接続され、該検出手段による検出値に基づき前記血液浄化装置本体の周囲の明暗状況を判断し得ることを特徴とする。
【０００９】
請求項４記載の発明は、請求項１〜３の何れか１つに記載の血液浄化装置において、前記点灯手段は、前記血液浄化装置本体に設けられた照明用ランプであることを特徴とする。
【００１０】
請求項５記載の発明は、請求項４記載の血液浄化装置において、前記照明用ランプが脱着自在とされたことを特徴とする。
【００１１】
請求項６記載の発明は、請求項１〜５の何れか１つに記載の血液浄化装置において、前記点灯手段は、前記血液浄化装置本体の動作状況を表示する表示灯であることを特徴とする。
【００１２】
請求項７記載の発明は、請求項１〜６の何れか１つに記載の血液浄化装置において、前記点灯手段は、前記血液浄化装置本体の動作状況を表示するモニタ画面であることを特徴とする。
【００１３】
請求項８記載の発明は、請求項１〜７の何れか１つに記載の血液浄化装置において、前記点灯手段により照射される光の明るさを調整し得る調整手段を具備したことを特徴とする。
【発明の効果】
【００１４】
請求項１の発明によれば、血液浄化装置本体の周囲が暗い状況であると判断されることを条件として、バッテリからの電力により血液浄化装置本体の周囲に光を照射し得るので、停電時に血液浄化装置本体の周囲に光を照射して医療従事者等による処置を容易に行わせることができる。
【００１５】
請求項２の発明によれば、判断手段は、電源からの電力供給が遮断した際の時刻に基づき血液浄化装置本体の周囲の明暗状況を判断し、その判断に従って点灯手段がバッテリからの電力により血液浄化装置本体の周囲に光を照射し得るので、昼間の不必要な光の照射を抑制することができる。
【００１６】
請求項３の発明によれば、判断手段は、血液浄化装置本体の周囲における照度を検出する検出手段と電気的に接続され、該検出手段による検出値に基づき血液浄化装置本体の周囲の明暗状況を判断し得るとともに、その判断に従って点灯手段がバッテリからの電力により血液浄化装置本体の周囲に光を照射し得るので、昼間であっても当該血液浄化装置本体の周囲が暗い場合に光の照射を行わせることができる。
【００１７】
請求項４の発明によれば、点灯手段は、血液浄化装置本体に設けられた照明用ランプであるので、当該照明用ランプを照度の大きなものとすれば、血液浄化装置本体の周囲をより明るくすることができる。
【００１８】
請求項５の発明によれば、照明用ランプが脱着自在とされたので、停電時に患者や医療従事者等が当該照明用ランプを取り外し、携帯しつつ光を照射することができる。
【００１９】
請求項６、７の発明によれば、点灯手段は、血液浄化装置本体の動作状況を表示する表示灯又はモニタ画面であるので、血液浄化装置が有する既存のもの（表示灯又はモニタ画面）を流用して停電時に光を照射させることができる。
【００２０】
請求項８の発明によれば、点灯手段により照射される光の明るさを調整し得る調整手段を具備したので、バッテリの消耗を考慮した適切な明るさの光を照射させることができる。
【発明を実施するための最良の形態】
【００２１】
以下、本発明の実施形態について図面を参照しながら具体的に説明する。
本実施形態に係る血液浄化装置は、患者が着座又は横臥し得る治療台としてのベッド近傍に配置されて当該患者に透析治療（血液浄化治療）を施すための透析治療装置に適用されたものであり、図１、２に示すように、透析装置本体１（血液浄化装置）と、表示灯２と、モニタ画面３と、照明用ランプ４と、バッテリ５と、判断手段８と、調整手段９とから主に構成されている。尚、表示灯２、モニタ画面３及び照明用ランプ４のぞれぞれが本発明の点灯手段を構成している。
【００２２】
透析装置本体１は、患者の血液を体外循環させつつ浄化するための各種治療手段を具備したもので、例えば血液回路が接続されたダイアライザに透析液を導入及び導出するポートや血液回路内の血液を流動させる血液ポンプ等が形成されている。また、透析装置本体１には、透析治療状況或いは動作状況を異なる色で点灯して表示し得る表示灯２が配設されており、当該点灯した色に応じて透析装置本体１が正常に動作しているか否かを監視し得るようになっている。
【００２３】
然るに、表示灯２は、透析装置本体１から上方に延設したポールＰの上部に形成されており、透析治療状況或いは動作状況に応じて所定色の部位（発光手段）が光を照射し得るようになっている。この表示灯２の更に上部には、停電時に点灯して、透析装置本体１の周囲に光を照射し得る照明用ランプ４が形成されている。かかる照明用ランプ４は、脱着自在とされており、停電時に患者や医療従事者等が取り外して、携帯しつつ光を照射し得るようになっている。
【００２４】
更に、透析装置本体１には、透析治療状況、動作状況を数値データやグラフ等として表示し得るモニタ画面３が形成されており、かかるモニタ画面３の表示を監視しつつ透析治療を行い得るようになっている。尚、モニタ画面３は、例えば液晶画面などで構成されており、操作者が所定位置を触れることにより所定の入力を行い得るタッチパネル等としてもよい。
【００２５】
ここで、透析装置本体１には、商用電源からの電力供給が遮断した際に電力供給可能なバッテリ５（所謂、充電及び放電可能な二次電池）が搭載されている。このバッテリ５は、図２に示すように、パワーユニット６と接続されており、当該パワーユニット６内の充電回路により充電可能とされている。そして、パワーユニット６及びバッテリ５は、それぞ切替回路７を介して表示灯２、モニタ画面３及び照明用ランプ４と電気的に接続可能とされており、商用電源又はバッテリ５の何れかによる電力供給でこれら表示灯２、モニタ画面３及び照明用ランプ４を点灯させ得るよう構成されている。
【００２６】
切替回路７は、停電により商用電源からの電力供給が遮断した際、バッテリー５と表示灯２、モニタ画面３及び照明用ランプ４とを電気的に接続させるための回路であり、これにより商用電源からの電力供給からバッテリ５による電力供給に切り替わることとなる。また、バッテリ５と表示灯２、モニタ画面３及び照明用ランプ４とを電気的に接続する配線途中には、判断手段８が接続されている。
【００２７】
この判断手段８は、商用電源からの電力供給が遮断してバッテリ５からの電力供給がなされる際、血液浄化装置本体１の周囲の明暗状況を判断し得るものであり、検出手段１２と接続された照度判定回路１０と、時刻設定回路１１とから構成されている。検出手段１２は、血液浄化装置本体１の周囲における照度（明度又は暗度）を検出するセンサから成り、例えば血液浄化装置本体１における外部に臨ませた部位に設置されている。
【００２８】
照度判定回路１０は、検出手段１２による検出値に基づき血液浄化装置本体１の周囲の明暗状況を判断し得るものであり、当該照度判定回路１０により血液浄化装置本体１の周囲が暗い状況であると判断されることを条件として、表示灯２、モニタ画面３及び照明用ランプ４にバッテリ５からの電力供給を行わせ、血液浄化装置本体１の周囲に光を照射させるよう構成されている。
【００２９】
時刻設定回路１１は、バッテリ５から電力供給により表示灯２、モニタ画面３及び照明用ランプ４から光を照射させる時刻設定を行うための回路であり、例えば昼間の時刻で停電がある場合には、血液浄化装置本体１の周囲が明るい状況であると判断して、表示灯２、モニタ画面３及び照明用ランプ４にバッテリ５からの電力供給を行わせず、且つ、夜間の時刻で停電がある場合には、血液浄化装置本体１の周囲が暗い状況であると判断して、表示灯２、モニタ画面３及び照明用ランプ４にバッテリ５からの電力供給を行わせるためのものである。
【００３０】
尚、本実施形態においては、照度判定回路１０と時刻設定回路１１とを並設させているが、何れか一方のみを具備させた判断手段８としてもよい。また、時刻設定回路１１が夜間であると判断し、且つ、照度判定回路１０により血液浄化装置本体１の周囲が暗い状況であると判断されることを条件として、表示灯２、モニタ画面３及び照明用ランプ４にバッテリ５からの電力供給を行わせ、血液浄化装置本体１の周囲に光を照射させるよう構成するのが好ましいが、何れかの条件を満たした場合に血液浄化装置本体１の周囲に光を照射させるよう構成してもよい。
【００３１】
調整手段９は、表示灯２、モニタ画面３及び照明用ランプ４と電気的に接続されるとともに、検出手段１２とも電気的に接続され、これら表示灯２、モニタ画面３及び照明用ランプ４により照射される光の明るさを調整し得るものである。これにより、バッテリ５の消耗を考慮した適切な明るさの光を照射させることができる。尚、調整手段９により、通常時（商用電源からの電力供給がなされている際）と比べて高輝度でモニタ画面３を表示させたり、或いは表示灯２を点灯させたりすることができる。
【００３２】
上記実施形態によれば、血液浄化装置本体１の周囲が暗い状況であると判断されることを条件として、バッテリ５からの電力により血液浄化装置本体１の周囲に光を照射し得るので、停電時に血液浄化装置本体１の周囲に光を照射して医療従事者等による処置（例えば患者に穿刺された穿刺針を抜く処置等）を容易に行わせることができる。また、バッテリ５からの電力により血液浄化装置本体１の周囲に光を照射し得るので、停電時における誘導灯（非常灯）の役割を果たすこともでき、血液浄化治療が行われる設備において別個誘導灯（非常灯）等を設置する必要がなくなる。
【００３３】
更に、バッテリ５からの電力により点灯手段（表示灯２、モニタ画面３及び照明用ランプ４）が血液浄化装置本体１の周囲に光を照射し得るので、医療従事者等が懐中電灯を片手に持って作業する必要がなく、両手で処置のための作業ができるので作業性をより向上させることができる一方、患者に対しては停電時の動揺を抑制させることができ安心した治療環境を提供することができる。
【００３４】
また更に、判断手段８は、商用電源からの電力供給が遮断した際の時刻に基づき血液浄化装置本体１の周囲の明暗状況を判断し、その判断に従って点灯手段（表示灯２、モニタ画面３及び照明用ランプ４）がバッテリ５からの電力により血液浄化装置本体１の周囲に光を照射し得るので、昼間の不必要な光の照射を抑制することができる。また、判断手段８は、血液浄化装置本体１の周囲における照度を検出する検出手段１２と電気的に接続され、該検出手段１２による検出値に基づき血液浄化装置本体１の周囲の明暗状況を判断し得るとともに、その判断に従って点灯手段（表示灯２、モニタ画面３及び照明用ランプ４）がバッテリ５からの電力により血液浄化装置本体１の周囲に光を照射し得るので、昼間であっても当該血液浄化装置本体１の周囲が暗い場合に光の照射を行わせることができる。
【００３５】
尚、点灯手段を表示灯２或いはモニタ画面３、又はその両者のみ（照明用ランプ４以外）とすることもでき、その場合、血液浄化装置が有する既存のもの（表示灯２又はモニタ画面３）を流用して停電時に光を照射させることができる。勿論、既述のように、停電時の医療従事者等による処置をより容易とすべく、表示灯２或いはモニタ画面３から照射される光を通常時より強く設定するのが好ましい。
【００３６】
以上、本実施形態について説明したが、本発明はこれに限定されるものではなく、例えば判断手段８により血液浄化装置本体１の周囲が暗い状況であると判断されることを条件として、バッテリ５からの電力により血液浄化装置本体１の周囲に光を照射し得る点灯手段として、表示灯２、モニタ画面３或いは照明用ランプ４の何れかのみとしてもよく、更には他の照明手段（別個配設した蛍光灯や高輝度のＬＥＤ等）としてもよい。また、適用される血液浄化装置は、本実施形態の如き透析装置の他、患者の血液を体外循環させつつ浄化し得る他の血液浄化装置に適用してもよい。
【産業上の利用可能性】
【００３７】
患者の血液を体外循環させつつ浄化する血液浄化装置本体と、該血液浄化装置本体に搭載され、電源からの電力供給が遮断した際に電力供給可能なバッテリと、電源からの電力供給が遮断した際、血液浄化装置本体の周囲の明暗状況を判断し得る判断手段と、該判断手段により前記血液浄化装置本体の周囲が暗い状況であると判断されることを条件として、前記バッテリからの電力により前記血液浄化装置本体の周囲に光を照射し得る点灯手段とを具備した血液浄化装置であれば、外観形状が異なるもの或いは他の機能が付加されたものにも適用することができる。
【図面の簡単な説明】
【００３８】
【図１】本発明の実施形態に係る血液浄化装置（透析装置）を示す外観図
【図２】同血液浄化装置（透析装置）に搭載されたバッテリ及び該バッテリと接続された各構成要素を示すブロック図
【符号の説明】
【００３９】
１    透析装置本体（血液浄化装置本体）
２    表示灯
３    モニタ画面
４    照明用ランプ
５    バッテリ
６    パワーユニット
７    切替回路
８    判断手段
９    調整手段
１０  照度判定回路
１１  時刻設定回路
１２  検出手段
【図１】
2008283996.tif 000003
【図２】
2008283996.tif 000004